(57)【特許請求の範囲】
【請求項１】
センサ識別情報を持つ距離センサを有する陳列棚測定装置と、データ管理装置と、電子ＰＯＰ（ｐｏｉｎｔ  ｏｆ  ｐｕｒｃｈａｓｅ  ａｄｖｅｒｔｉｓｉｎｇの略）装置と、がネットワーク接続される広告効果判定システムにおいて、
前記電子ＰＯＰ装置は、
広告コンテンツ識別情報と広告コンテンツを対応付けたコンテンツデータを記憶する記憶手段と、
再生中の広告コンテンツの識別情報および再生時刻情報を含む広告データを作成してデータ管理装置に送信する広告データ送信手段と、
を備えるＰＯＰ装置であって、
前記陳列棚測定装置は、
段数情報と、センサ識別情報を含む距離情報と、を対応付けた棚位置データを記憶する記憶手段と、
発信波を発信した発信時刻情報と、発信波が対象物に当たって反射した反射波を受信した受信時刻情報とを用いて、対象物までの距離を測定して、センサ識別情報を含む距離情報を送信する距離センサと、
距離センサが送信した距離情報を受信するセンサ情報受信手段と、
センサ情報受信手段が受信した距離情報を用いて、記憶手段が記憶する棚位置データを参照して、対応する段数情報を取得して、センサ識別情報と取得した段数情報とから構成される商品位置データを作成する商品位置データ作成手段と、
商品位置データ作成手段が作成した商品位置データと測定時刻情報とを含む測定データを作成して送信する測定データ送信手段と、
を備える測定装置であって、
前記データ管理装置は、
測定データや広告データを含む履歴データを格納する履歴データ格納部を有して、
センサ識別情報と段数情報とを含む誘導位置情報と、広告コンテンツ識別情報と、を対応付けた判定データを記憶する記憶手段と、
電子ＰＯＰ装置が送信する広告データを受信して、これを含む履歴データを作成して記憶手段に記録する広告履歴記録手段と、
陳列棚測定装置が送信する測定データを受信して、これを含む履歴データを作成して記憶手段に記録する測定履歴記録手段と、
記憶手段が記憶する履歴データの中から測定データを取得する測定履歴取得手段と、
前記測定履歴取得手段が取得した測定データに含まれる測定時刻を用いて、記憶手段が記憶する履歴データの広告データを参照して、測定時刻に再生されていた広告の広告データを取得する広告履歴取得手段と、
前記広告履歴取得手段が取得した広告データの広告コンテンツ識別情報を用いて、記憶手段が記憶する判定データを参照して、対応付けられる誘導位置情報を抽出する誘導位置取得手段と、
前記測定履歴取得手段が取得した測定データの商品位置データと、誘導位置取得手段が抽出した誘導位置情報が一致していれば、再生されていた広告による誘導が成功したと判定して、判定結果を記録する判定手段と、
を備える管理装置である、
ことを特徴とする広告効果判定システム。
【請求項２】
前記電子ＰＯＰ装置は、
データ管理装置が送信する広告再生指示を受け付けて、受け付けた広告再生指示に含まれる広告コンテンツ識別情報を適用して、コンテンツデータを参照して、対応付けられた広告コンテンツを再生する広告再生手段
をさらに備えるＰＯＰ装置であって、
前記データ管理装置は
前記記憶手段は、さらに、センサ識別情報と棚の段数情報とから構成される商品位置情報を、広告コンテンツ識別情報に関連付けた広告切替データを記憶して、
測定履歴記録手段が受信した測定データの商品位置情報を用いて、広告切替データを参照して、関連付けられた広告コンテンツ識別情報を取得する切替ＩＤ取得手段と、
切替ＩＤ取得手段が取得したコンテンツ識別情報を含む広告再生指示を作成して電子ＰＯＰ装置に送信する広告指示手段と、
広告指示手段が作成した広告再生指示と指示時刻を含む履歴データを作成して記憶手段に記録する指示履歴記録手段と、
記憶手段が記憶する履歴データの中から、広告再生指示と指示時刻を取得する指示履歴取得手段と、
をさらに備えて、
前記測定履歴取得手段が、指示履歴取得手段が取得した指示時刻を用いて、記憶手段が記憶する履歴データの測定データを参照して、指示時刻直後の測定データを取得して、
前記広告ＩＤ取得手段が、指示履歴取得手段が取得した測定データに含まれる測定時刻を用いて、履歴データの広告データを参照して、測定時刻に再生されていた広告の広告データを抽出して、これに含まれる広告コンテンツ識別情報を取得して、
前記比較手段が、広告ＩＤ取得手段が取得した広告コンテンツ識別情報と、指示履歴取得手段が取得した広告再生指示に含まれる広告コンテンツ識別情報とを比較して、
前記測定履歴取得手段が、指示履歴取得手段が取得した指示時刻を用いて、記憶手段が記憶する履歴データの測定データを参照して、指示時刻直後の測定データを取得する、
ことである管理装置である、
ことを特徴とする請求項１に記載の広告効果判定システム。
【請求項３】
広告コンテンツ識別情報と広告コンテンツを対応付けたコンテンツデータと、
距離情報と棚の段数情報とを対応付けた棚位置データと、
陳列棚測定装置識別情報と棚の段数情報と広告コンテンツ識別情報とを組み合わせた判定データと、
を用いる広告効果判定方法であって、
（１）電子ＰＯＰ装置が、再生中の広告コンテンツの識別情報と再生時刻情報とを含む広告データを作成してデータ管理装置に送信する広告データ送信ステップと、
（２）データ管理装置が、電子ＰＯＰ装置から送信された広告データを受信して、これを含む履歴データを作成して記録する広告履歴記録ステップと、
（３）陳列棚測定装置が、距離センサから送信された距離情報を用いて、棚位置データを参照して、対応する段数情報を取得して、センサ識別情報と取得した段数情報とから構成される商品位置データと測定時刻情報とを含む測定データを作成して送信する測定データステップと、
（４）データ管理装置が、陳列棚測定装置から送信された測定データを受信して、これを含む履歴データを作成して記録する測定履歴記録ステップと、
（５）データ管理装置が、履歴データの中から測定データを取得する測定履歴取得ステップと、
（６）データ管理装置が、取得した測定データに含まれる測定時刻を用いて、履歴データの広告データを参照して、測定時刻に再生されていた広告の広告データを取得する広告取得ステップと、
（７）データ管理装置が、取得した広告データの広告コンテンツ識別情報を用いて、判定データを参照して、対応付けられる誘導位置情報を抽出して、抽出した誘導位置情報と、測定履歴取得ステップにて取得した測定データの商品位置データとが一致していれば、再生されていた広告による誘導が成功したと判定して、判定結果を記録する判定ステップと、
を含んだ手順でなされることを特徴とする広告効果判定方法。
【請求項４】
前記広告効果判定方法は、さらに、センサ識別情報と棚の段数情報とから構成される商品位置情報を、広告コンテンツ識別情報に関連付けた広告切替データを用いる判定方法であって、
（１）データ管理装置が、測定データ履歴記録ステップにて受信した測定データの商品位置情報を用いて、広告切替データを参照して、関連付けられた広告コンテンツ識別情報を取得する切替ＩＤ取得ステップと、
（２）データ管理装置が、取得したコンテンツ識別情報を含む広告再生指示を作成して電子ＰＯＰ装置に送信する広告指示ステップと、
（３）電子ＰＯＰ装置が、データ管理装置から送信された広告再生指示を受け付けて、受け付けた広告再生指示に含まれる広告コンテンツ識別情報を適用して、コンテンツデータを参照して、対応付けられた広告コンテンツを再生する広告再生ステップと、
（４）データ管理装置が、作成した広告再生指示と指示時刻を含む履歴データを作成して記憶手段に記録する指示履歴記録ステップと、
（５）データ管理装置が、履歴データの中から、広告再生指示と指示時刻を取得する指示履歴取得ステップと、
（６）データ管理装置は、取得した指示時刻を用いて、履歴データの測定データを参照して、指示時刻直後の測定データを取得する測定履歴取得ステップと、
（７）取得した測定データに含まれる測定時刻を用いて、履歴データの広告データを参照して、測定時刻に再生されていた広告の広告データを取得する広告履歴取得ステップと、
を含んだ手順でなされることを特徴とする請求項３に記載の広告効果判定方法。
【請求項５】
コンピュータに組込むことによって、コンピュータを請求項１または請求項２に記載の広告効果判定システムとして動作させるコンピュータプログラム。
【請求項６】
請求項５に記載のコンピュータプログラムを記録したコンピュータ読取り可能な記録媒体。
【発明の詳細な説明】
【技術分野】
【０００１】
本発明は、広告による購買者の行動を分析することで、広告の効果を判定するシステム、およびその方法、プログラム、媒体に関するものである。
本発明は特に、電子ＰＯＰ装置を備えた陳列棚において、来店者が宣伝した商品を手に取ったか否かを判定する場合に有用である。
ＰＯＰとは、ｐｏｉｎｔ  ｏｆ  ｐｕｒｃｈａｓｅ  ａｄｖｅｒｔｉｓｉｎｇの略である。
電子ＰＯＰ装置は、広告コンテンツを再生する装置である。
【背景技術】
【０００２】
現代の企業の商品販売活動においては、類似の商品が同居する陳列棚から、自社の商品を選択さ購入させるために、購買者の行動を分析して販売促進につなげることが益々重要となっている。
次に、購買者の行動情報を収集分析する方法とその問題点を説明する。
《１．調査員による観察》
調査員が現地に立ち会って、あるいは、現地の撮影ビデオを見て、購買者の行動を記録して分析する。
購買者行動の記録に膨大な時間や、多大な手間を要する。
《２．ＰＯＳ分析》
販売された商品のバーコードをＰＯＳレジスタで読み取って、ＰＯＳ情報を記録し、ＰＯＳ情報を統計処理して、購買行動分析をする。
購買者が購入する以前にとった購買行動の情報は入手できない。
【０００３】
《３．ＩＣタグ》
ＩＣタグを添付した商品を陳列棚に陳列して、商品を来店者が手に取ると、ＩＣタグリーダがこれを読み取って記録することができる。
たとえば、特許文献１では、商品に添付したＩＣタグのタグシリアル番号をＩＣタグリーダで読み取ることで、商品陳列棚から特定の商品を手に取り、戻されたことを検知して、商品に対する顧客の関心度情報を得る技術が開示されている。
【特許文献１】特開２００７−１１５１５２号公報（段落００２８、図１）
【発明の開示】
【発明が解決しようとする課題】
【０００４】
しかしながら、特許文献１の技術では、全ての商品にＩＣタグを添付しなければならず、手間と費用がかかる。
また、顧客が何事に関心を持って商品を棚から取り出したかは不明で分析ができない。たとえば、広告による関心の変化、誘導の成功を分析することはできない。
【０００５】
本発明は以上のような点を解決するためになされたものであって、本発明の課題は、購買者の行動を簡単に測定して、広告による誘導が成功したか否かを分析するシステム、およびその方法、プログラム、媒体を提供することである。
【課題を解決するための手段】
【０００６】
本発明は、以下の各態様に記載の手段により、前記課題を解決する。
すなわち、本願発明の第１の発明は、センサ識別情報を持つ距離センサを有する陳列棚測定装置と、データ管理装置と、電子ＰＯＰ（ｐｏｉｎｔ  ｏｆ  ｐｕｒｃｈａｓｅ  ａｄｖｅｒｔｉｓｉｎｇの略）装置と、がネットワーク接続される広告効果判定システムにおいて、前記電子ＰＯＰ装置は、広告コンテンツ識別情報と広告コンテンツを対応付けたコンテンツデータを記憶する記憶手段と、再生中の広告コンテンツの識別情報および再生時刻情報を含む広告データを作成してデータ管理装置に送信する広告データ送信手段と、を備えるＰＯＰ装置であって、前記陳列棚測定装置は、段数情報と、センサ識別情報を含む距離情報と、を対応付けた棚位置データを記憶する記憶手段と、発信波を発信した発信時刻情報と、発信波が対象物に当たって反射した反射波を受信した受信時刻情報とを用いて、対象物までの距離を測定して、センサ識別情報を含む距離情報を送信する距離センサと、距離センサが送信した距離情報を受信するセンサ情報受信手段と、センサ情報受信手段が受信した距離情報を用いて、記憶手段が記憶する棚位置データを参照して、対応する段数情報を取得して、センサ識別情報と取得した段数情報とから構成される商品位置データを作成する商品位置データ作成手段と、商品位置データ作成手段が作成した商品位置データと測定時刻情報とを含む測定データを作成して送信する測定データ送信手段と、を備える測定装置であって、前記データ管理装置は、測定データや広告データを含む履歴データを格納する履歴データ格納部を有して、センサ識別情報と段数情報とを含む誘導位置情報と、広告コンテンツ識別情報と、を対応付けた判定データを記憶する記憶手段と、電子ＰＯＰ装置が送信する広告データを受信して、これを含む履歴データを作成して記憶手段に記録する広告履歴記録手段と、陳列棚測定装置が送信する測定データを受信して、これを含む履歴データを作成して記憶手段に記録する測定履歴記録手段と、記憶手段が記憶する履歴データの中から測定データを取得する測定履歴取得手段と、前記測定履歴取得手段が取得した測定データに含まれる測定時刻を用いて、記憶手段が記憶する履歴データの広告データを参照して、測定時刻に再生されていた広告の広告データを取得する広告履歴取得手段と、前記広告履歴取得手段が取得した広告データの広告コンテンツ識別情報を用いて、記憶手段が記憶する判定データを参照して、対応付けられる誘導位置情報を抽出する誘導位置取得手段と、前記測定履歴取得手段が取得した測定データの商品位置データと、誘導位置取得手段が抽出した誘導位置情報が一致していれば、再生されていた広告による誘導が成功したと判定して、判定結果を記録する判定手段と、を備える管理装置である、ことを特徴とする広告効果判定システムである。
【０００７】
このように、来店者が電子ＰＯＰ装置で再生中の広告に誘導されて陳列棚から該当する商品を手に取ると、陳列棚測定装置の測定結果と、判定データの内容が一致する。
【０００８】
本願発明の第２の発明は、前記電子ＰＯＰ装置は、データ管理装置が送信する広告再生指示を受け付けて、受け付けた広告再生指示に含まれる広告コンテンツ識別情報を適用して、コンテンツデータを参照して、対応付けられた広告コンテンツを再生する広告再生手段をさらに備えるＰＯＰ装置であって、前記データ管理装置は前記記憶手段は、さらに、センサ識別情報と棚の段数情報とから構成される商品位置情報を、広告コンテンツ識別情報に関連付けた広告切替データを記憶して、測定履歴記録手段が受信した測定データの商品位置情報を用いて、広告切替データを参照して、関連付けられた広告コンテンツ識別情報を取得する切替ＩＤ取得手段と、切替ＩＤ取得手段が取得したコンテンツ識別情報を含む広告再生指示を作成して電子ＰＯＰ装置に送信する広告指示手段と、広告指示手段が作成した広告再生指示と指示時刻を含む履歴データを作成して記憶手段に記録する指示履歴記録手段と、記憶手段が記憶する履歴データの中から、広告再生指示と指示時刻を取得する指示履歴取得手段と、をさらに備えて、前記測定履歴取得手段が、指示履歴取得手段が取得した指示時刻を用いて、記憶手段が記憶する履歴データの測定データを参照して、指示時刻直後の測定データを取得して、前記広告ＩＤ取得手段が、指示履歴取得手段が取得した測定データに含まれる測定時刻を用いて、履歴データの広告データを参照して、測定時刻に再生されていた広告の広告データを抽出して、これに含まれる広告コンテンツ識別情報を取得して、前記比較手段が、広告ＩＤ取得手段が取得した広告コンテンツ識別情報と、指示履歴取得手段が取得した広告再生指示に含まれる広告コンテンツ識別情報とを比較して、前記測定履歴取得手段が、指示履歴取得手段が取得した指示時刻を用いて、記憶手段が記憶する履歴データの測定データを参照して、指示時刻直後の測定データを取得する、
ことである管理装置である、ことを特徴とする請求項１に記載の広告効果判定システムである。
【０００９】
このように、来店者が陳列棚から商品を手に取ることで、電子ＰＯＰ装置で再生する広告が切り替わり、切り替わった広告に誘導された来店者が陳列棚から該当する商品を手に取ると、陳列棚測定装置の測定結果と、判定データの内容が一致する。
【００１０】
本願発明の第３の発明は、広告コンテンツ識別情報と広告コンテンツを対応付けたコンテンツデータと、距離情報と棚の段数情報とを対応付けた棚位置データと、陳列棚測定装置識別情報と棚の段数情報と広告コンテンツ識別情報とを組み合わせた判定データと、を用いる広告効果判定方法であって、（１）電子ＰＯＰ装置が、再生中の広告コンテンツの識別情報と再生時刻情報とを含む広告データを作成してデータ管理装置に送信する広告データ送信ステップと、（２）データ管理装置が、電子ＰＯＰ装置から送信された広告データを受信して、これを含む履歴データを作成して記録する広告履歴記録ステップと、（３）陳列棚測定装置が、距離センサから送信された距離情報を用いて、棚位置データを参照して、対応する段数情報を取得して、センサ識別情報と取得した段数情報とから構成される商品位置データと測定時刻情報とを含む測定データを作成して送信する測定データステップと、（４）データ管理装置が、陳列棚測定装置から送信された測定データを受信して、これを含む履歴データを作成して記録する測定履歴記録ステップと、（５）データ管理装置が、履歴データの中から測定データを取得する測定履歴取得ステップと、（６）データ管理装置が、取得した測定データに含まれる測定時刻を用いて、履歴データの広告データを参照して、測定時刻に再生されていた広告の広告データを取得する広告取得ステップと、（７）データ管理装置が、取得した広告データの広告コンテンツ識別情報を用いて、判定データを参照して、対応付けられる誘導位置情報を抽出して、抽出した誘導位置情報と、測定履歴取得ステップにて取得した測定データの商品位置データとが一致していれば、再生されていた広告による誘導が成功したと判定して、判定結果を記録する判定ステップと、を含んだ手順でなされることを特徴とする広告効果判定方法である。
【００１１】
本願発明の第４の発明は、前記広告効果判定方法は、さらに、センサ識別情報と棚の段数情報とから構成される商品位置情報を、広告コンテンツ識別情報に関連付けた広告切替データを用いる判定方法であって、（１）データ管理装置が、測定データ履歴記録ステップにて受信した測定データの商品位置情報を用いて、広告切替データを参照して、関連付けられた広告コンテンツ識別情報を取得する切替ＩＤ取得ステップと、（２）データ管理装置が、取得したコンテンツ識別情報を含む広告再生指示を作成して電子ＰＯＰ装置に送信する広告指示ステップと、（３）電子ＰＯＰ装置が、データ管理装置から送信された広告再生指示を受け付けて、受け付けた広告再生指示に含まれる広告コンテンツ識別情報を適用して、コンテンツデータを参照して、対応付けられた広告コンテンツを再生する広告再生ステップと、（４）データ管理装置が、作成した広告再生指示と指示時刻を含む履歴データを作成して記憶手段に記録する指示履歴記録ステップと、（５）データ管理装置が、履歴データの中から、広告再生指示と指示時刻を取得する指示履歴取得ステップと、（６）データ管理装置は、取得した指示時刻を用いて、履歴データの測定データを参照して、指示時刻直後の測定データを取得する測定履歴取得ステップと、（７）取得した測定データに含まれる測定時刻を用いて、履歴データの広告データを参照して、測定時刻に再生されていた広告の広告データを取得する広告履歴取得ステップと、を含んだ手順でなされることを特徴とする請求項３に記載の広告効果判定方法である。
【００１２】
本願発明の第５の発明は、コンピュータに組込むことによって、コンピュータを請求項１または請求項２に記載の広告効果判定システムとして動作させるコンピュータプログラムである。
【００１３】
本願発明の第６の発明は、請求項５に記載のコンピュータプログラムを記録したコンピュータ読取り可能な記録媒体である。
【発明の効果】
【００１４】
本願発明によれば、
（１）手に取った商品の陳列棚の位置を簡単容易に測定することが可能である。
（２）広告による誘導が成功したか否か（＝ブランド切り替え効果）を測定することが可能である。
従って、本発明によれば、ブランド切り替えに有効な広告を評価することができるという効果がある。
【発明を実施するための最良の形態】
【００１５】
以下、図面等を参照しながら、本発明の実施の形態について、更に詳しく説明する。
【００１６】
（実施例１）
図１は、本発明による広告効果判定システム１の概要を説明する図である。
広告効果判定システム１は、陳列棚測定装置５００と、データ管理装置１００と、電子ＰＯＰ装置３００と、がネットワーク接続されて構成される。
広告効果判定システム１は、購買者が電子ＰＯＰ装置３００により再生した広告に誘導されて該当する商品を手に取ったことを検知して、広告宣伝が成功したことを判定する。
【００１７】
データ管理装置１００は、既存のデータベース管理プログラムを備えたサーバコンピュータである。
【００１８】
陳列棚測定装置５００は、パーソナルコンピュータに、後述する専用プログラムを搭載したものである。
陳列棚測定装置５００は、距離センサ５０４を備える。
距離センサ５０４は、指向性の高い光波・電波・音波を発信して、反射波を受信して、受信に要した時間より、反射対象物までの距離を測定する。
距離センサ５０４は、たとえば、陳列棚６００の上部に設置される。
購買者が陳列棚６００の商品６０１を手に取ると、距離センサ５０４は、手に当たり反射した反射波を受信して、距離センサから手までの距離を測定する。
【００１９】
図１５は、距離センサの動作説明図である。
距離センサ５０４は、発信波５０４ａを床に向かって発信している。
距離センサ５０４は、床あるいは購買者の手で反射した反射波５０４ｂを受信する。
距離センサ５０４は、予め定められた測定時間間隔（例えば１００ｍｓおき）で常に距離の測定を行っている。よって、距離センサ５０４は通常（購買者が手を伸ばしていない）、床までの距離を測定していることになる。
【００２０】
電子ＰＯＰ装置３００は、既存のメディアプレーヤーを備えた電子機器装置に、後述する専用プログラムを搭載したものである。
電子ＰＯＰ装置３００は、広告コンテンツを再生表示する。
【００２１】
図２は広告効果判定システム１の大まかな処理の流れを説明する。
《１．データ測定》
来店者が陳列棚６００の商品６０１を手に取ると、陳列棚測定装置５００は、商品の位置を測定してデータ管理装置１００に送信する（図２（１））。
電子ＰＯＰ装置３００は、再生表示している広告コンテンツの識別情報をデータ管理装置１００に送信する（同（２））。
《２．広告効果の分析》
データ管理装置１００は、陳列棚測定装置５００から受信した商品位置情報と、電子ＰＯＰ装置３００から受信した広告コンテンツ識別情報とを用いて、来店者が電子ＰＯＰ装置３００で宣伝した商品を陳列棚６００から手に取ったか否かを判定する（同（３））。
【００２２】
図３は、陳列棚測定装置５００の詳細な構成図である。
陳列棚測定装置５００は、ＣＰＵ５０１と、距離センサ５０４と、クロック部５０６と、ネットワーク接続部５０５と、記憶部５０９と専用プログラムを備える。
【００２３】
ＣＰＵ１０１は、中央演算装置である。
ネットワーク接続部５０５は、ＬＡＮアダプタである。
【００２４】
距離センサ５０４は、半導体素子である。
距離センサ５０４は、センサ識別情報を有する。
距離センサ５０４は、陳列棚６００の商品６０１を手に取ったことを検知して、センサから手までの距離を測定して、センサ識別情報を含む距離情報を送信する。
クロック部５０６は、時計回路である。
【００２５】
記憶部５０９は、半導体メモリや磁気メモリである。
記憶部５０９は、棚位置データ５９１と専用プログラムを記憶する。
棚位置データ５９１は、段数情報と、センサ識別情報を含む距離情報と、を対応付けたデータである。
【００２６】
このほかに、センサ情報受信手段５１０と、商品位置データ作成手段５２０と、測定データ送信手段５３０と、を備える。これらの各手段は、それぞれの専用プログラムによって実現され、専用プログラムがＣＰＵ５０１に解釈・実行されることによって機能する。
【００２７】
センサ情報受信手段５１０は、距離センサ５０４が送信した距離情報を受信する。
【００２８】
商品位置データ作成手段５２０は、センサ情報受信手段５１０が受信した距離情報を用いて、記憶手段１０９が記憶する棚位置データを参照して、対応する段数情報を取得して、センサ識別情報と取得した段数情報とから構成される商品位置データを作成する。
なお、商品位置データ作成手段５２０は、距離センサ５０４から受信した距離情報が棚位置データ５９１に存在せず、対応する棚がないと判定した場合は商品位置情報を作成しない。すなわち、商品位置作成手段５２０は距離センサ５０４が床の距離を測っている間、商品位置情報を作成せず、購買者が商品に手を伸ばすと、商品位置情報を作成することになる。
【００２９】
測定データ送信手段５３０は、商品位置データ作成手段５２０が作成した商品位置データと測定時刻情報とを含む測定データを作成して送信する。
【００３０】
図４は、棚位置データ５９１を説明する図である。
図４の（ａ）は、棚位置データ５９１の形式を説明する図である。
棚位置データ５９１は、棚段数５９１ａと、距離情報５９１ｂとから構成される。
距離情報５９１ｂは、センサ識別情報５９１ｃと距離の範囲情報５９１ｄとを対応付けた情報である。
棚段数５９１ａは、文字列である。
センサ識別情報５９１ｃは、ユニークな文字列である。
距離の範囲情報５９１ｄは、距離を表すデータである。
【００３１】
図４の（ｂ）には、棚位置データ５９１が例示されている。
棚位置データ５９１の例として、棚段数５９１ａが「１段」に対して、センサ識別情報５９１ｃ「s0010」と距離の範囲情報５９１ｄ「0  −   40」が対応付けた距離情報５９１ｂが示されている。
【００３２】
この例の意味は、センサ識別情報が「s0010」を含む距離情報５９１ｂについて、距離の範囲が「0」から「40」（単位：ｃｍ）であるときには、対応付けられる棚段数は、「１段」であるということである。
【００３３】
また、棚位置データ５９１の例として、棚段数５９１ａが「２段」に対して、センサ識別情報５９１ｃ「s0030」と距離の範囲情報５９１ｄ「81  −  160」が対応付けた距離情報５９１ｂが示されている。
【００３４】
この例の意味は、センサ識別情報５９１ｃ「s0030」を含む距離情報５９１ｂについて、距離の範囲が「81」から「160」（単位：ｃｍ）であるときには、対応付けられる棚段数は、「２段」であるということである。
【００３５】
図５は、測定データ５９６を説明する図である。
図５の（ａ）は、測定データ５９６の形式を説明する図である。
測定データ５９６は、測定時刻情報５９６ａと、商品位置データ５９６ｂとから構成される。
商品位置データ５９６ｂは、センサ識別情報５９６ｃと、棚段数情報５９６ｄとが対応付けられている。
測定時刻情報５９６ａは、時刻を表すデータである。
センサ識別情報５９６ｃは、ユニークな文字列である。
棚段数情報５９６ｄは、文字列である。
【００３６】
図５の（ｂ）には、測定データ５９６が例示されている。
測定データ５９６の例として、測定時刻情報５９６ａが「10:00:58」であって、                センサ識別情報５９６ｃ「s0030」に、棚段数情報５９６ｄ「１段」が対応付けた測定データ５９６が示されている。
【００３７】
この例の意味は、センサ識別情報「s0030」の距離センサ５０４によって、時刻「10:00:58」に検知された陳列棚６００の段数は、「１段」であるということである。
【００３８】
図６は、電子ＰＯＰ装置３００の詳細な構成図である。
電子ＰＯＰ装置３００は、ＣＰＵ３０１と、スピーカ部３０２と、表示部３０３と、クロック部３０６と、ネットワーク接続部３０５と、記憶部３０９と専用プログラムを備える。
【００３９】
ＣＰＵ３０１は、中央演算装置である。
ネットワーク接続部３０５は、ＬＡＮアダプタである。
表示部３０３は、液晶表示装置や有機ＥＬ表示装置である。
クロック部３０６は、時計回路である。
【００４０】
記憶部３０９は、半導体メモリや磁気メモリである。
記憶部３０９は、広告コンテンツデータ３９１と、専用プログラムを記憶する。
広告コンテンツデータ３９１は、広告コンテンツ識別情報と再生時刻情報とを含むデータである。
【００４１】
このほかに、広告データ送信手段３１０を備える。この各手段は、その専用プログラムによって実現され、専用プログラムがＣＰＵ３０１に解釈・実行されることによって機能する。
【００４２】
広告データ送信手段３１０は、再生中の広告コンテンツの識別情報と再生時刻情報（たとえば、開始事項と終了時刻）とを含む広告データを作成してデータ管理装置に送信する。
【００４３】
図７は、広告データ３９６を説明する図である。
図７の（ａ）は、広告データ３９６の形式を説明する図である。
広告データ３９６は、広告コンテンツ識別情報３９６ａと再生時刻情報３９６ｂとから構成される。
広告コンテンツ識別情報３９６ａは、ユニークな文字列である。
再生時刻情報３９６ｂは、開始時刻と終了時刻を表す情報である。
【００４４】
図７の（ｂ）には、広告データ３９６が例示されている。
広告データ３９６の例として、広告コンテンツ識別情報３９６ａ「コンテンツＢ」と、再生時刻情報３９６ｂ「10:00:46  −  10:01:38」が示されている。
【００４５】
この例の意味は、広告コンテンツ識別情報３９６ａ「コンテンツＢ」の広告コンテンツが再生されていた時間は、開始時刻「10:00:46」から終了時刻「10:01:38」までであるということである。
【００４６】
図８は、データ管理装置１００の詳細な構成図である。
データ管理装置１００は、ＣＰＵ１０１と、クロック部１０６と、ネットワーク接続部１０５と、記憶部１０９と専用プログラムを備える。
【００４７】
ＣＰＵ１０１は、中央演算装置である。
ネットワーク接続部１０５は、ＬＡＮアダプタである。
クロック部１０６は、時計回路である。
【００４８】
記憶部１０９は、半導体メモリや磁気メモリである。
記憶部１０９は、履歴データ格納部１０９ａを備える。
記憶部１０９は、判定データ１９１と、専用プログラムを記憶する。
判定データ１９１は、センサ識別情報と段数情報とを含む誘導位置情報と、広告コンテンツ識別情報と、を対応付けたデータである。
履歴データ格納部１０９ａは、履歴データを記憶する領域である。
履歴データは、測定データ５９６や広告データ３９６を含むデータである。
【００４９】
このほかに、広告履歴記録手段１１０と、測定履歴記録手段１２０と、測定履歴取得手段１３０と、広告履歴取得手段１４０と、判定手段１６０と、を備える。これらの各手段は、それぞれの専用プログラムによって実現され、専用プログラムがＣＰＵ１０１に解釈・実行されることによって機能する。
【００５０】
広告履歴記録手段１１０は、電子ＰＯＰ装置が送信する広告データ３９６を受信して、これを含む履歴データを作成して記憶手段１０９に記録する
測定履歴記録手段１２０は、陳列棚測定装置が送信する測定データ５９６を受信して、これを含む履歴データを作成して記憶手段１０９に記録する
【００５１】
測定履歴取得手段１３０は、記憶手段が記憶する履歴データの中から測定データ５９６を取得する。
広告履歴取得手段１４０は、測定履歴取得手段１３０が取得した測定データに含まれる測定時刻を用いて、記憶手段が記憶する履歴データの広告データ３９６を参照して、測定時刻に再生されていた広告の広告データを取得する。
【００５２】
判定手段１６０は、広告履歴取得手段１４０が取得した広告データの広告コンテンツ識別情報を用いて、記憶手段が記憶する判定データ１９１を参照して、対応付けられる誘導位置情報を抽出して、抽出した誘導位置情報と、測定履歴取得手段１３０が取得した測定データ５９６の商品位置データとの比較結果が一致していれば、再生されていた広告による誘導が成功したと判定して、判定結果を記録する。
【００５３】
図９は、判定データ１９１を説明する図である。
図９の（ａ）は、判定データ１９１の形式を説明する図である。
判定データ１９１は、広告コンテンツ識別情報１９１ａと、誘導位置情報１９１ｂとから構成される。
誘導位置情報１９１ｂは、距離センサ識別情報１９１ｃと、棚段数情報１９１ｄとを対応付けた情報である。
広告コンテンツ識別情報１９１ａは、ユニークな文字列である。
距離センサ識別情報１９１ｃは、ユニークな文字列である。
棚段数情報１９１ｄは、文字列である。
【００５４】
図９の（ｂ）には、判定データ１９１が例示されている。
判定データ１９１の例として、
広告コンテンツ識別情報１９１ａ「コンテンツＢ」に対して、距離センサ識別情報１９１ｃ「s0010」と、棚段数情報１９１ｄ「２段」とを対応付けた判定データ１９１が示されている。
この例の意味は、広告コンテンツ識別情報１９１ａ「コンテンツＢ」の広告コンテンツが誘導している商品は、距離センサ識別情報１９１ｃ「s0010」の距離センサの棚段数が「２段」の位置に置かれた商品であるという意味である。
【００５５】
図１０は、広告が誘導した結果を判定する手順を説明する図である。
《１．商品位置の測定》
電子ＰＯＰ装置３００は、陳列棚６００の２段左側の商品６０１に誘導する広告コンテンツＢを再生中である（図１０（１））。
消費者は、電子ＰＯＰ装置３００が再生中の広告に誘導されて、陳列棚６００の２段左側の商品を手に取る（同（２））。
陳列棚測定装置５００のセンサ識別情報５９６ｃ「s0030」の距離センサ５０４は、この手を検知して距離を測定する。
センサ情報受信手段５１０は、距離センサ５０４から、距離情報を受信する。商品位置データ作成手段５２０は、センサ情報受信手段５１０が受信した距離情報を用いて、記憶手段１０９が記憶する棚位置データ５９１を参照して、対応する段数情報「２段」を取得して、センサ識別情報５９６ｃ「s0030」、棚段数情報５９６ｄ「２段」から構成される商品位置情報を作成する（同（３））。
【００５６】
《２．履歴の記録》
測定データ送信手段５３０は、商品位置データ作成手段５２０が作成した商品位置情報と測定時刻情報５９６ａ「10:00:58」を含む測定データ５９６ｘを作成してデータ管理装置１００に送信する。
データ管理装置１００の測定履歴記録手段１２０は、陳列棚測定装置５００から測定データ５９６ｘを受信して履歴データに記録する（同（４））。
電子ＰＯＰ装置３００の広告データ送信手段３１０は、再生時刻情報３９６ｂ「10:00:46  −  10:01:38」と、広告コンテンツ識別情報３９６ａ「コンテンツＢ」を含む広告データ３９６ｘを作成して、データ管理装置１００に送信する。
データ管理装置１００の広告履歴記録手段１１０は、電子ＰＯＰ装置３００から広告データ３９６ｘを受信して履歴データに記録する（同（５））。
【００５７】
《３．判定》
データ管理装置１００の測定履歴取得手段１３０は、履歴データの測定データの中から任意に広告再生指示と指示時刻を取得する。
広告履歴取得手段１４０は、この測定データ５９６ｘの測定時刻５９６ａ「10:00:58」を用いて、履歴データの広告データ３９６を参照して、測定時刻に広告を再生している広告データ３９６ｘ（たとえば、再生時刻情報３９６ｂ「10:00:46−10:01:38」である広告データ）を取得する。
判定手段１６０は、取得した測定データの商品位置情報５９６ｂ（＝距離センサ識別情報５９６ｃ「s0030」、棚段数情報５９６ｄ「２段」）と、取得した広告データの広告コンテンツ識別情報「コンテンツＢ」３９６ａの組み合わせを用いて、判定データ１９１と比較した結果、広告コンテンツ識別情報１９１ａ「コンテンツＢ」、商品位置情報１９１ｂ（＝距離センサ識別情報１９１ｃ「s0030」、棚段数情報１９１ｄ「２段」）である判定データ１９１が存在して、一致するので、消費者が電子ＰＯＰ装置３００の広告した商品を手に取ったと判定する（同（６））。
【００５８】
（実施例２）
次に、消費者が陳列棚の商品を手に取ったことを検知して、電子ＰＯＰ装置８００で再生する広告を切り替えて、他の商品に消費者を誘導する実施例を説明する。
【００５９】
図１１は、広告切替型のデータ管理装置７００の詳細な構成図である。
広告切替型のデータ管理装置７００は、図８のデータ管理装置１００の構成に、専用プログラムを追加したものである。
記憶部１０９は、さらに、広告切替データ１９３を記憶する。
広告切替データ１９３は、センサ識別情報と棚の段数情報とから構成される商品位置情報を、広告コンテンツ識別情報に関連付けたデータである。
【００６０】
さらに、切替ＩＤ取得手段１７０と、広告指示手段１７５と、指示履歴記録手段１８０と、指示履歴取得手段１８５と、広告履歴取得手段１４５と、広告履歴記録手段１１０と、測定履歴記録手段１２０と、測定履歴取得手段１３０と、判定手段１６０と、を備える。これらの各手段は、それぞれの専用プログラムによって実現され、専用プログラムがＣＰＵ１０１に解釈・実行されることによって機能する。
【００６１】
切替ＩＤ取得手段１７０は、陳列棚測定装置５００から受信した測定データの商品位置情報を用いて、広告切替データを参照して、関連付けられた広告コンテンツ識別情報を取得する。
広告指示手段１７５は、切替ＩＤ取得手段が取得したコンテンツ識別情報を含む広告再生指示を作成して電子ＰＯＰ装置に送信する。
【００６２】
指示履歴記録手段１８０は、広告指示手段が作成した広告再生指示と指示時刻を含む履歴データを作成して記憶手段に記録する。
【００６３】
指示履歴取得手段１８５は、記憶手段が記憶する履歴データの中から、広告再生指示と指示時刻を取得する。
測定履歴取得手段１３５は、指示履歴取得手段１８５が取得した指示時刻を用いて、記憶手段が記憶する履歴データの測定データを参照して、指示時刻直後の測定データを取得する。
広告履歴取得手段１４５は、測定履歴取得手段１３５が取得した測定データに含まれる測定時刻を用いて、記憶手段が記憶する履歴データの広告データを参照して、測定時刻に再生されていた広告の広告データを取得する。
【００６４】
判定手段１６５は、広告履歴取得手段１４５が取得した広告コンテンツ識別情報と、指示履歴取得手段１８５が取得した広告再生指示に含まれる広告コンテンツ識別情報とを比較した結果が一致していれば、再生されていた広告による誘導が成功したと判定して、判定結果を記録する。
【００６５】
なお、広告履歴記録手段１１０と、測定履歴記録手段１２０と、判定手段１６０と、は、それぞれ、図８のデータ管理装置１００が備える広告履歴記録手段１１０と、測定履歴記録手段１２０と、同じである。
【００６６】
図１２は、広告切替データ１９３を説明する図である。
図１２の（ａ）は、広告切替データ１９３の形式を説明する図である。
判定データ１９３は、広告コンテンツ識別情報１９３ａと、商品位置情報１９３ｂとから構成される。
商品位置情報１９３ｂは、距離センサ識別情報１９３ｃと、棚段数情報１９３ｄとを対応付けた情報である。
広告コンテンツ識別情報１９３ａは、ユニークな文字列である。
距離センサ識別情報１９３ｃは、ユニークな文字列である。
棚段数情報１９３ｄは、文字列である。
【００６７】
図１２の（ｂ）には、広告切替データ１９３が例示されている。
広告切替データ１９３の例として、
広告コンテンツ識別情報１９３ａ「コンテンツＢ」に対して、距離センサ識別情報１９３ｃ「s0010」と、棚段数情報１９３ｄ「２段」とを対応付けた広告切替データ１９３が示されている。
この例の意味は、距離センサ識別情報１９３ｃ「s0010」の距離センサが棚段数「２段」を検知したら、広告コンテンツ識別情報１９３ａ「コンテンツＢ」の広告コンテンツを再生させるという意味である。
【００６８】
図１３は、広告切替型の電子ＰＯＰ装置８００の詳細な構成図である。
広告切替型の電子ＰＯＰ装置８００は、図６の電子ＰＯＰ装置３００の構成に、専用プログラムを追加したものである。
このほかに、広告データ送信手段３１０と広告再生手段３２０を備える。これらの各手段は、それぞの専用プログラムによって実現され、専用プログラムがＣＰＵ３０１に解釈・実行されることによって機能する。
【００６９】
広告再生手段３２０は、データ管理装置７００が送信する広告再生指示を受け付けて、受け付けた広告再生指示に含まれる広告コンテンツ識別情報を適用して、コンテンツデータ３９１を参照して、対応付けられた広告コンテンツを再生する
【００７０】
なお、広告データ送信手段３１０は、図６の電子ＰＯＰ装置３００が備える広告データ送信手段３１０と、同じである。
【００７１】
図１４は、広告切替による誘導結果を判定する手順を説明する図である。
《１．商品位置の通知》
消費者は、陳列棚６００の１段右側の商品を手に取る（図１４（１））。
陳列棚測定装置５００のセンサ識別情報「s0081」の距離センサ５０４は、この手を検知して距離を測定する。
センサ情報受信手段５１０は、距離センサ５０４から、距離情報を受信する。
商品位置データ作成手段５２０は、センサ情報受信手段５１０が受信した距離情報を用いて、記憶手段１０９が記憶する棚位置データ５９１を参照して、対応する段数情報「１段」を取得して、センサ識別情報５９６ｃ「s0081」、棚段数情報５９６ｄ「１段」から構成される商品位置情報を作成する。
測定データ送信手段５３０は、商品位置データ作成手段５２０が作成した商品位置情報と測定時刻情報５９６ａ（たとえば、「10:00:41」）を含む測定データ５９６ｘを作成してデータ管理装置７００に送信する。
【００７２】
《２．広告再生の指示》
データ管理装置７００の測定履歴記録手段１２０は、陳列棚測定装置５００から測定データ５９６ｘを受信して履歴データに記録する。
データ管理装置７００の切替ＩＤ取得手段１７０は、受信した測定データ５９６ｘの商品位置情報（＝距離センサ識別情報１９３ｃ「s0081」、棚段数情報１９３ｄ「１段」）を用いて、広告切替データ１９３を参照して、商品位置情報に関連付けられた広告コンテンツ識別情報１９３ａ「コンテンツＢ」を取得する。広告指示手段１７５は、切替ＩＤ取得手段が取得した「コンテンツＢ」１９３ａを含む広告再生指示を作成して電子ＰＯＰ装置８００に送信する。
指示履歴記録手段１８０は、広告指示手段が作成した広告再生指示に指示時刻情報（たとえば、「10:00:41」）を添えて、履歴データとして記録する。
電子ＰＯＰ装置８００の広告再生手段３２０は、広告再生指示を受け付けて、受け付けた広告再生指示に含まれる広告コンテンツ識別情報「コンテンツＢ」を適用して、コンテンツデータ３９１を参照して、広告コンテンツ識別情報「コンテンツＢ」の広告コンテンツを再生する（同（３））。
【００７３】
《３．誘導位置の測定》
消費者は、電子ＰＯＰ装置８００が再生する広告に誘導されて、「２段」の商品を手に取る（同（４））。
陳列棚測定装置５００の「s0030」５９６ｃの距離センサ５０４は、この手を検知して距離を測定する。
センサ情報受信手段５１０は、距離センサ５０４から、距離情報を受信する。
品位置データ作成手段５２０は、センサ情報受信手段５１０が受信した距離情報を用いて、記憶手段１０９が記憶する棚位置データ５９１を参照して、対応する段数情報「２段」を取得して、センサ識別情５９６ｃ報「s0030」、棚段数情報５９６ｄ「２段」から構成される商品位置情報を作成する（同（５））。
【００７４】
《４．履歴の記録》
測定データ送信手段５３０は、商品位置データ作成手段５２０が作成した商品位置情報商品位置情報と測定時刻情報５９６ａ「10:00:58」を含む測定データ５９６ｙを作成してデータ管理装置７００に送信する。
データ管理装置７００の測定履歴記録手段１２０は、陳列棚測定装置５００から測定データ５９６ｙを受信して履歴データに記録する。
データ管理装置７００の切替ＩＤ取得手段１７０は、受信した測定データ５９６ｙの商品位置情報（＝センサ識別情５９６ｃ報「s0030」、棚段数情報５９６ｄ「２段」）を用いて、広告切替データ１９３を参照して、商品位置情報に関連付けられた広告コンテンツ識別情報１９３ａが取得できないので終了する（同（６））。
電子ＰＯＰ装置８００の広告データ送信手段３１０は、再生時刻情報３９６ｂ「10:00:46  −  10:01:38」と、広告コンテンツ識別情報３９６ａ「コンテンツＢ」を含む広告データ３９６ｘを作成して、データ管理装置７００に送信する。
データ管理装置７００の広告履歴記録手段１１０は、電子ＰＯＰ装置８００から広告データ３９６ｘを受信して履歴データに記録する（同（７））。
【００７５】
《５．判定》
データ管理装置の指示履歴取得手段１８５は、記憶手段が記憶する履歴データの中から、任意に、広告再生指示と指示時刻（たとえば、「10:00:58」５９６ａ）を取得する。
測定履歴取得手段１３５は、指示履歴取得手段１８５が取得した指示時刻を用いて、記憶手段が記憶する履歴データの測定データを参照して、指示時刻直後の測定データ５９６ｙを取得する。
広告履歴取得手段１４５は、測定履歴取得手段１３５が取得した測定データに含まれる測定時刻５９６ａ「10:00:58」を用いて、記憶手段が記憶する履歴データの広告データ３９６を参照して、測定時刻に再生されていた広告の広告データ３９６ｘを取得する。
判定手段１６５は、広告履歴取得手段１４５が取得した広告データの広告コンテンツ識別情報３９６ａ「コンテンツＢ」と、指示履歴取得手段１８５が取得した広告再生指示に含まれる広告コンテンツ識別情報「コンテンツＢ」とを比較した結果が一致しているので、再生されていた広告による誘導が成功したと判定する（同（８））。
【００７６】
なお、広告再生指示が指示した広告コンテンツが再生されているか否かを確認しても良い。その場合には、指示時刻直後の測定データ５９６ｙの測定時刻を用いて、記憶手段が記憶する履歴データの広告データ３９６を参照して、測定時刻に広告を再生している広告データ３９６ｘ（たとえば、再生時刻情報３９６ｂ「10:00:46−10:01:38」である広告データ）を取得して、そのときのこのときの広告コンテンツ識別情報を参照して同じであれば、該当する広告が再生中であることが確認できる。
【図面の簡単な説明】
【００７７】
【図１】（実施例１）本発明による広告効果判定システム１の概要を説明する図
【図２】（実施例１）広告効果判定システム１の大まかな処理の流れを説明する図
【図３】（実施例１）陳列棚測定装置５００の詳細な構成図
【図４】（実施例１）棚位置データ５９１を説明する図
【図５】（実施例１）測定データ５９６を説明する図
【図６】（実施例１）電子ＰＯＰ装置３００の詳細な構成図
【図７】（実施例１）広告データ３９６を説明する図
【図８】（実施例１）データ管理装置１００の詳細な構成図
【図９】（実施例１）判定データ１９１を説明する図
【図１０】（実施例１）広告が誘導した結果を判定する手順を説明する図
【図１１】（実施例２）広告切替型のデータ管理装置７００の詳細な構成図
【図１２】（実施例２）広告切替データ１９３を説明する図
【図１３】（実施例２）広告切替型の電子ＰＯＰ装置８００の詳細な構成図
【図１４】（実施例２）広告切替による誘導結果を判定する手順を説明する図
【図１５】（実施例１）距離センサの動作説明図
【符号の説明】
【００７８】
１  広告効果判定システム
１００，７００  データ管理装置
１１０  広告履歴記録手段
１２０  測定履歴記録手段
１３０  測定履歴取得手段
１４０  広告履歴取得手段
１４５  広告履歴取得手段
１６０  判定手段
１６５  判定手段
１７０  切替ＩＤ取得手段
１７５  広告指示手段
１８０  指示履歴記録手段
１８５  指示履歴取得手段
１９１  判定データ
１９３  広告切替データ
３００，８００  電子ＰＯＰ装置
３１０  広告データ送信手段
３２０  広告再生手段
３９６  広告データ
５００  陳列棚測定装置
５０４  距離センサ
５０４ａ  発信波５０４ａ
５０４ｂ  反射波５０４ｂ
５１０  センサ情報受信手段
５２０  商品位置データ作成手段
５３０  測定データ送信手段
５９１  棚位置データ
５９６  測定データ
６００  陳列棚
６０１  商品
【図１】
0005104468.tif 000002
【図２】
0005104468.tif 000003
【図３】
0005104468.tif 000004
【図４】
0005104468.tif 000005
【図５】
0005104468.tif 000006
【図６】
0005104468.tif 000007
【図７】
0005104468.tif 000008
【図８】
0005104468.tif 000009
【図９】
0005104468.tif 000010
【図１０】
0005104468.tif 000011
【図１１】
0005104468.tif 000012
【図１２】
0005104468.tif 000013
【図１３】
0005104468.tif 000014
【図１４】
0005104468.tif 000015
【図１５】
0005104468.tif 000016